(57)【要約】  複数の送信ポイントを利用して通信を行う場合であってもＨＡＲＱ（ハイブリッド自動再送要求：Hybrid  Automatic  Repeat  Request）プロセスを適切に構成するために、本開示のユーザ端末の一態様は、複数の送信ポイントから送信される下り共有チャネルのスケジューリングに利用される１以上の下り制御情報を、下り制御チャネルをモニタして受信する受信部と、前記下り制御情報に含まれるＨＡＲＱプロセス番号フィールドが示す、セルごとに１以上の独立したＨＡＲＱエンティティが管理するＨＡＲＱプロセス番号を検出する制御部と、を有する。
2020003442.tif 000002
【特許請求の範囲】
【請求項１】
複数の送信ポイントから送信される下り共有チャネルのスケジューリングに利用される１以上の下り制御情報を、下り制御チャネルをモニタして受信する受信部と、
前記下り制御情報に含まれるＨＡＲＱ（ハイブリッド自動再送要求：Hybrid  Automatic  Repeat  Request）プロセス番号フィールドが示す、セルごとに１以上の独立したＨＡＲＱエンティティが管理するＨＡＲＱプロセス番号を検出する制御部と、を有することを特徴とするユーザ端末。
【請求項２】
前記受信部は、１つの前記下り制御情報を受信し、
前記１つの下り制御情報に含まれるＨＡＲＱプロセス番号フィールドには、セルごとに１つの独立したＨＡＲＱエンティティが管理するＨＡＲＱプロセス番号がマッピングされることを特徴とする請求項１に記載のユーザ端末。
【請求項３】
前記受信部は、複数の前記下り制御情報を受信し、
前記各下り制御情報に含まれるＨＡＲＱプロセス番号フィールドには、セルごとに１つの独立したＨＡＲＱエンティティが管理するＨＡＲＱプロセス番号がマッピングされることを特徴とする請求項１に記載のユーザ端末。
【請求項４】
前記受信部は、複数の前記下り制御情報を受信し、
前記各下り制御情報に含まれるＨＡＲＱプロセス番号フィールドには、セルごとに複数の独立したＨＡＲＱエンティティが管理するＨＡＲＱプロセス番号がそれぞれマッピングされることを特徴とする請求項１に記載のユーザ端末。
【請求項５】
前記制御部は、前記ＨＡＲＱエンティティごとに管理可能なＨＡＲＱプロセスの最大数に関する前記ユーザ端末の能力に関する情報を示すよう制御することを特徴とする請求項１から請求項３のいずれかに記載のユーザ端末。
【請求項６】
前記制御部は、前記送信ポイントごとに設定可能な前記ＨＡＲＱエンティティの最大数に関する前記ユーザ端末の能力に関する情報を示すよう制御することを特徴とする請求項１または請求項４に記載のユーザ端末。
【発明の詳細な説明】
【技術分野】
【０００１】
本発明は、次世代移動通信システムにおけるユーザ端末に関する。
【背景技術】
【０００２】
ＬＴＥ  Ｒｅｌ．１０／１１では、広帯域化を図るために、複数のコンポーネントキャリア（ＣＣ：Component  Carrier）を統合するキャリアアグリゲーション（ＣＡ：Carrier  Aggregation）が導入された。各コンポーネントキャリア（ＣＣ）は、ＬＴＥ  Ｒｅｌ．８のシステム帯域を一単位として構成される。キャリアアグリゲーション（ＣＡ）では、同一の無線基地局（ｅＮＢ：eNodeB）の複数のコンポーネントキャリア（ＣＣ）が、ユーザ端末（ＵＥ：User  Equipment）に設定される。【０００３】
ＬＴＥ  Ｒｅｌ．１２では、異なる無線基地局の複数のセルグループ（ＣＧ：Cell  Group）がユーザ端末に設定されるデュアルコネクティビティ（ＤＣ：Dual  Connectivity）が導入された。各セルグループ（ＣＧ）は、少なくとも１つのセル（ＣＣ）で構成される。デュアルコネクティビティ（ＤＣ）では、異なる無線基地局の複数のコンポーネントキャリア（ＣＣ）が統合される。そのため、デュアルコネクティビティ（ＤＣ）は、基地局間ＣＡ（Inter-eNB  CA）とも呼ばれる。【０００４】
ＬＴＥ  Ｒｅｌ．８−１２では、再送制御にＨＡＲＱ（ハイブリッド自動再送要求：Hybrid  Automatic  Repeat  Request）が利用される。ＨＡＲＱでは、ユーザ端末は、下りリンク（ＤＬ：Downlink）データの受信結果に応じて当該データに関する送達確認信号（ＨＡＲＱ−ＡＣＫ：HARQ-Acknowledgement）をフィードバックする。無線基地局は、フィードバックされたＨＡＲＱ−ＡＣＫに基づいて、データの再送を制御する。【０００５】
キャリアアグリゲーション（ＣＡ）またはデュアルコネクティビティ（ＤＣ）が設定された上りリンクにおいて、セル（ＣＣ）またはセルグループ（ＣＧ）ごとに１つの独立したＨＡＲＱエンティティ（entity）が存在する（非特許文献１）。ＨＡＲＱエンティティは、複数のＨＡＲＱプロセスを並行して管理する。
【先行技術文献】
【非特許文献】
【０００６】
【非特許文献１】3GPP  TS  38.300  V15.1.0  “Technical  Specification  Group  Radio  Access  Network;  NR;  NR  and  NG-RAN  Overall  Description;  Stage  2  (Release  15)”、２０１８年３月
【発明の概要】
【発明が解決しようとする課題】
【０００７】
将来の無線通信システム（たとえば、５Ｇ（5th  generation  mobile  communication  system）、ＮＲ（New  Radio））では、ビームフォーミング（ＢＦ：Beam  Forming）を利用して通信を行うことが検討されている。ビームフォーミング（ＢＦ）を利用した通信品質を向上するために、複数の信号間の疑似コロケーション（ＱＣＬ：Quasi-Co-Location）の関係（ＱＣＬ関係）を考慮して、信号の送信および受信の少なくとも一方を制御することが検討されている。【０００８】
将来の無線通信システムでは、複数の送信ポイントからノンコヒーレント（non-coherent  transmission）なＤＬ信号（たとえば、ＰＤＳＣＨ（Physical  Downlink  Shared  Channel））が協調して送信されることも想定される。この場合、１または複数の下り制御情報（ＤＣＩ：Downlink  Control  Information）またはＰＤＣＣＨ（Physical  Downlink  Control  Channel）を利用して、複数の送信ポイントから送信されるＰＤＳＣＨのスケジューリングを制御することも考えられる。【０００９】
しかし、複数の送信ポイントから送信されるＰＤＳＣＨのスケジューリングを、１以上のＤＣＩまたはＰＤＣＣＨを利用して制御する場合、ＨＡＲＱエンティティおよびユーザ端末のＨＡＲＱプロセスをどのように構成および設計するか十分に検討されていない。ＨＡＲＱプロセスが適切に行われないと、複数の送信ポイントを利用した通信の品質劣化などの問題が生じるおそれがある。【００１０】
本発明はかかる点に鑑みてなされたものであり、複数の送信ポイントを利用して通信を行う場合であっても、ＨＡＲＱエンティティおよびＨＡＲＱプロセスを適切に構成することができるユーザ端末を提供することを目的の１つとする。
【課題を解決するための手段】
【００１１】
本発明のユーザ端末の一態様は、複数の送信ポイントから送信される下り共有チャネルのスケジューリングに利用される１以上の下り制御情報を、下り制御チャネルをモニタして受信する受信部と、前記下り制御情報に含まれるＨＡＲＱ（ハイブリッド自動再送要求：Hybrid  Automatic  Repeat  Request）プロセス番号フィールドが示す、セルごとに１以上の独立したＨＡＲＱエンティティが管理するＨＡＲＱプロセス番号を検出する制御部と、を有することを特徴とする。
【発明の効果】
【００１２】
本発明によれば、複数の送信ポイントを利用して通信を行う場合のＨＡＲＱエンティティおよびＨＡＲＱプロセスを適切に構成できる。
【図面の簡単な説明】
【００１３】
【図１】従来のＨＡＲＱエンティティ、ＨＡＲＱプロセスおよびＤＣＩの関係を示す図である。
【図２】図２Ａおよび図２Ｂは、複数の送信ポイントからＰＤＳＣＨが送信される場合の一例を示す図である。
【図３】図３Ａおよび図３Ｂは、第１の態様のオプション１に係るＨＡＲＱエンティティおよびＨＡＲＱプロセスの構成の一例を示す図である。
【図４】図４Ａおよび図４Ｂは、第１の態様のオプション２に係るＨＡＲＱエンティティおよびＨＡＲＱプロセスの構成の一例を示す図である。
【図５】図５Ａおよび図５Ｂは、第２の態様のオプション１に係るＨＡＲＱエンティティおよびＨＡＲＱプロセスの構成の一例を示す図である。
【図６】図６Ａおよび図６Ｂは、第２の態様のオプション２に係るＨＡＲＱエンティティおよびＨＡＲＱプロセスの構成の一例を示す図である。
【図７】第２の態様のオプション３に係るＨＡＲＱエンティティおよびＨＡＲＱプロセスの構成の一例を示す図である。
【図８】本実施の形態に係る無線通信システムの概略構成の一例を示す図である。
【図９】本実施の形態に係る無線基地局の機能構成の一例を示す図である。
【図１０】無線基地局のベースバンド信号処理部の機能構成の一例を示す図である。
【図１１】本実施の形態に係るユーザ端末の機能構成の一例を示す図である。
【図１２】ユーザ端末のベースバンド信号処理部の機能構成の一例を示す図である。
【図１３】本発明の一実施形態に係る無線基地局およびユーザ端末のハードウェア構成の一例を示す図である。
【発明を実施するための形態】
【００１４】
無線通信システムでは、データ送信はスケジューリングに基づき、ＤＬデータ送信のスケジューリング情報は下り制御情報（ＤＣＩ）で搬送される。図１は、従来のＨＡＲＱエンティティ、ＨＡＲＱプロセスおよびＤＣＩの関係を示す図である。図１に示すように、ＤＣＩは、現在のデータ送信に使用されるＨＡＲＱプロセス番号を示す４ビットのＨＡＲＱプロセス番号（ＨＰＮ：HARQ  Process  Number）フィールドを含む。ＨＡＲＱエンティティは、複数（最大１６個）のＨＡＲＱプロセスを並行して管理する。すなわち、ＨＡＲＱプロセス番号は、ＨＰＮ０からＨＰＮ１５まで存在する。ＨＡＲＱプロセス番号は、ＨＡＲＱプロセスＩＤ（HARQ  process  identifier）とも呼ばれる。
【００１５】
上りリンク（ＵＬ：Uplink）データをＰＵＳＣＨ（Physical  Uplink  Shared  Channel）で送信する単位、および、ＤＬデータをＰＤＳＣＨで送信する単位は、トランスポートブロック（ＴＢ：Transport  Block）と呼ばれる。トランスポートブロック（ＴＢ）は、ＭＡＣ（Media  Access  Control）層で取り扱われる単位である。ＨＡＲＱ（再送信）の制御は、トランスポートブロック（ＴＢ）ごとに行われる。
【００１６】
ユーザ端末は、ＰＤＳＣＨを使用して受信したＤＬトランスポートブロックの復号に成功したか否かを示すＨＡＲＱのＡＣＫ／ＮＡＣＫ（肯定応答：Positive  Acknowledgement／否定応答：Negative  Acknowledgement）を示す情報を、ＰＵＣＣＨ（Physical  Uplink  Control  Channel）またはＰＵＳＣＨなどを使用して無線基地局へ送信する。
【００１７】
物理層で複数のＵＬデータまたは複数のＤＬデータが空間多重（spatial  multiplexing）されない場合、単一のＨＡＲＱプロセスは、１つのトランスポートブロック（ＴＢ）に対応する。物理層で複数のＵＬデータまたは複数のＤＬデータが空間多重される場合、単一のＨＡＲＱプロセスは、１または複数のトランスポートブロック（ＴＢ）に対応する。
【００１８】
将来の無線通信システム（たとえば、Ｒｅｌ．１６以降）では、複数の送信ポイントから、それぞれノンコヒーレントなＤＬ送信（たとえば、ＰＤＳＣＨ送信）が行われることが検討されている。複数の送信ポイントから、ノンコヒーレントなＤＬ信号またはＤＬチャネルを協調して送信することは、ＮＣＪＴ（Non-coherent  Joint  Transmission）とも呼ばれる。本明細書において、送信ポイント（ＴＰ：Transmission  Point）は、送受信ポイント（ＴＲＰ：Transmission  Reception  Point）、パネル（panel）またはセルと読み替えられてもよい。送信ポイント（ＴＰ）またはパネルは、たとえば、ビーム、Spatial  filter、ＲＳリソース、quasi  co-location（ＱＣＬ）またはTransmission  configuration  information（ＴＣＩ）、もしくは、これらをグルーピングした概念で置き換えることができる。
【００１９】
図２は、複数の送信ポイントからＰＤＳＣＨが送信される場合の一例を示す図である。図２Ａは、複数のパネルからＰＤＳＣＨ（たとえば、ＮＣＪＴを利用したＰＤＳＣＨ）が、ユーザ端末に送信される場合を示している。図２Ｂは、複数の送受信ポイント（ＴＲＰ０およびＴＲＰ１）からＰＤＳＣＨ（たとえば、ＮＣＪＴを利用したＰＤＳＣＨ）が、ユーザ端末に送信される場合を示している。
【００２０】
図２Ｂに示す例では、ＴＲＰ０およびＴＲＰ１は、ＰＤＳＣＨを別々にスケジュールするために、ユーザ端末にＰＤＣＣＨを送信する。この場合、ユーザ端末は、２つのＰＤＣＣＨおよび２つのＰＤＳＣＨを受信する必要がある。すなわち、ユーザ端末は、ＴＲＰ０およびＴＲＰ１から送信されるＰＤＣＣＨをモニタする能力を有さなければならない。ユーザ端末は、当該ＰＤＣＣＨによってスケジュールされている場合、２つのＴＲＰから送信されるＰＤＳＣＨを復号する能力を有さなければならない。
【００２１】
仮定１：複数の送信ポイントからそれぞれ送信されるノンコヒーレントなＰＤＳＣＨのスケジューリングは、単一の下り制御チャネル（たとえば、ＰＤＣＣＨ）、または、単一の下り制御情報（ＤＣＩ）を利用して制御される。すなわち、ユーザ端末は、複数の送信ポイントからそれぞれ送信される単一のＰＤＣＣＨ、または、単一のＤＣＩをモニタして、複数の送信ポイントからそれぞれ送信されるＰＤＳＣＨを復号することができる。
【００２２】
仮定２：複数の送信ポイントからそれぞれ送信されるノンコヒーレントなＰＤＳＣＨのスケジューリングは、複数の下り制御チャネル（たとえば、ＰＤＣＣＨ）、または、複数の下り制御情報（ＤＣＩ）を利用して制御される。すなわち、ユーザ端末は、複数の送信ポイントからそれぞれ送信される複数のＰＤＣＣＨ、または、複数のＤＣＩをモニタして、複数の送信ポイントからそれぞれ送信されるＰＤＳＣＨを復号することができる。
【００２３】
仮定２の場合、各送信ポイント（たとえば、パネルまたはＴＲＰ）から送信されるＰＤＳＣＨのスケジューリング用に、ＤＣＩを別々に設定することも考えられる。たとえば、送信ポイント＃Ａから送信されるＰＤＳＣＨをスケジューリングする第１のＤＣＩ＃Ａと、送信ポイント＃Ｂから送信されるＰＤＳＣＨをスケジューリングする第２のＤＣＩ＃Ｂとを、ユーザ端末に送信する構成としてもよい。
【００２４】
上記仮定１と仮定２のどちらを適用するかは、複数の送信ポイント間のバックホールレイテンシの仮定に依存する。上記仮定１と仮定２のいずれか一方、または両方は、仕様に規定され、上位レイヤシグナリングによってユーザ端末に構成されてもよい。
【００２５】
このように、複数の送信ポイントからＰＤＳＣＨ（たとえば、ＮＣＪＴを利用したＰＤＳＣＨ）が送信される場合、ユーザ端末に対して、ＨＡＲＱエンティティおよびＨＡＲＱプロセスをどのように構成および設計するかが問題となる。
【００２６】
そこで、本発明者らは、複数の送信ポイントからＰＤＳＣＨ（たとえば、ＮＣＪＴを利用したＰＤＳＣＨ）が送信される場合において、ユーザ端末に対して、ＨＡＲＱエンティティおよびＨＡＲＱプロセスを適切に構成および設計する方法を見出した。
【００２７】
以下、本実施の形態について添付図面を参照して詳細に説明する。以下の説明における送信ポイント（ＴＰ）との用語は、パネルおよび送受信ポイント（ＴＲＰ）の少なくとも一方に読み替えてもよい。
【００２８】
以下の説明におけるＰＤＣＣＨとの用語は、ＮＲ−ＰＤＣＣＨと読み替えてもよい。同様に、ＰＤＳＣＨとの用語は、ＮＲ−ＰＤＳＣＨと読み替えてもよい。
【００２９】
（第１の態様）
第１の態様では、複数の送信ポイントからＰＤＳＣＨ（たとえば、ＮＣＪＴを利用したＰＤＳＣＨ）が送信されるシナリオにおいて、セルごとのＨＡＲＱエンティティを維持するようユーザ端末に対して構成する。
【００３０】
（オプション１）
オプション１では、ＨＡＲＱエンティティごとに、並行して管理するＨＡＲＱプロセスの数は従来と変わらない。すなわち、ＨＡＲＱエンティティごとに、最大１６個のＨＡＲＱプロセスが並行して管理される。
【００３１】
図３は、第１の態様のオプション１に係るＨＡＲＱエンティティおよびＨＡＲＱプロセスの構成の一例を示す図である。
【００３２】
図３Ａに示す例は、仮定１：複数の送信ポイントからそれぞれ送信されるＰＤＳＣＨのスケジューリングを、単一の下り制御チャネル（たとえば、ＰＤＣＣＨ）、または、単一の下り制御情報（たとえば、ＤＣＩ）を用いて制御する場合を想定している。
【００３３】
図３Ａに示す例では、セルごとに１つの独立したＨＡＲＱエンティティが存在する。ＨＡＲＱエンティティは、複数（最大１６個）のＨＡＲＱプロセスを並行して管理するよう設定される。複数（最大１６個）のＨＡＲＱプロセスは、１つのＤＣＩでサポートされる。すなわち、１つのＤＣＩは、４ビットのＨＡＲＱプロセス番号（ＨＰＮ）フィールドを含む。ＨＡＲＱプロセス番号は、ＨＰＮ０からＨＰＮ１５まで存在する。
【００３４】
複数の送信ポイントはそれぞれ、データ送信に用いる下りリンクリソース割り当て、および、ＨＡＲＱプロセス番号を含むＨＡＲＱの制御に用いる情報に基づいて、下りリンク制御チャネル（たとえば、ＰＤＣＣＨ）を生成して、ユーザ端末へ送信する。
【００３５】
図３Ａに示す例では、送信ポイントＴＰ０は、最大１６個のＨＡＲＱプロセスの中からＨＡＲＱプロセスを設定し、このＨＡＲＱプロセスに対応するＨＡＲＱプロセス番号の値（図３ＡにおいてＨＰＮ０）をＤＣＩフォーマットのフィールドにマッピングして、ユーザ端末へ送信する。送信ポイントＴＰ１も同様に、最大１６個のＨＡＲＱプロセスの中からＨＡＲＱプロセスを設定し、このＨＡＲＱプロセスに対応するＨＡＲＱプロセス番号の値（図３ＡにおいてＨＰＮ１）をＤＣＩフィールドにマッピングして、ユーザ端末へ送信する。
【００３６】
図３Ｂに示す例は、仮定２：複数の送信ポイントからそれぞれ送信されるノンコヒーレントなＰＤＳＣＨのスケジューリングを、複数の下り制御チャネル（たとえば、ＰＤＣＣＨ）、または、複数の下り制御情報（ＤＣＩ）を用いて制御する場合を想定している。
【００３７】
図３Ｂに示す例では、セルごとに１つの独立したＨＡＲＱエンティティが存在する。ＨＡＲＱエンティティは、複数（最大１６個）のＨＡＲＱプロセスを並行して管理するよう設定される。複数（最大１６個）のＨＡＲＱプロセスは、複数のＤＣＩでサポートされる。
【００３８】
たとえば、最大２つの送信ポイント（たとえば、最大２パネル、または、最大２つの送受信ポイント）からＰＤＳＣＨが送信される場合、ＰＤＳＣＨスケジューリングに２つのＰＤＣＣＨまたは２つのＤＣＩが利用される。この場合、１つのＤＣＩは、最大８個のＨＡＲＱプロセスをサポートしてもよい。したがって、ＤＣＩが含むＨＡＲＱプロセス番号（ＨＰＮ）フィールドは、３ビットに縮小される。ＤＣＩフィールドにおいて縮小された１ビット分は、他の目的のために再利用することができる。
【００３９】
１つのＤＣＩが、最大８個のＨＡＲＱプロセスをサポートする場合、ＨＡＲＱプロセス番号は、ＨＰＮ０からＨＰＮ７まで存在する。
【００４０】
図３Ｂに示す例では、送信ポイントＴＰ０は、最大８個のＨＡＲＱプロセスの中からＨＡＲＱプロセスを設定し、このＨＡＲＱプロセスに対応するＨＡＲＱプロセス番号の値（図３Ｂにおいて、ＨＰＮ０からＨＰＮ７のいずれか）をＤＣＩフォーマットのフィールドにマッピングして、ユーザ端末へ送信する。ここで用いるＤＣＩは、３ビットのＨＡＲＱプロセス番号（ＨＰＮ）フィールドを含む。送信ポイントＴＰ１も同様に、最大８個のＨＡＲＱプロセスの中からＨＡＲＱプロセスを設定し、このＨＡＲＱプロセスに対応するＨＡＲＱプロセス番号の値（図３Ｂにおいて、ＨＰＮ０からＨＰＮ７のいずれか）をＤＣＩフォーマットのフィールドにマッピングして、ユーザ端末へ送信する。
【００４１】
図３Ｂに示す例では、１つのＤＣＩが、３ビットのＨＡＲＱプロセス番号（ＨＰＮ）フィールドを含んでいるが、ＨＡＲＱプロセス番号（ＨＰＮ）フィールドのビット数はこれに限られない。
【００４２】
図３Ｂに示す例では、各ＤＣＩが同じ数のＨＡＲＱプロセスをサポートしているが、各ＤＣＩは異なる数のＨＡＲＱプロセスをサポートする構成であってもよい。各ＤＣＩが異なる数のＨＡＲＱプロセスをサポートする場合、各ＤＣＩに含まれるＨＡＲＱプロセス番号（ＨＰＮ）フィールドのビット数は異なっていてもよい。
【００４３】
図３において、送信ポイントを意味する「ＴＰ」との用語は、パネル、送受信ポイント、ＰＤＣＣＨの制御リソースセット（ＣＯＲＥＳＥＴ：Control  Resource  Set）またはサーチスペース、ならびに、ＰＤＳＣＨのＤＭＲＳ（Demodulation  Reference  Signal）ポートグループ、コードワードまたはトランスポートブロック（ＴＢ）と読み替えられてもよい。
【００４４】
オプション１において、上位レイヤシグナリングによって、ユーザ端末に「仮定１」が構成されてもよい。この場合、ユーザ端末は、図３Ａに示すように、１つのＤＣＩが、４ビットのＨＡＲＱプロセス番号（ＨＰＮ）フィールドを含むものと想定して動作する。
【００４５】
ユーザ端末は、複数の送信ポイント（図３Ａにおいて、ＴＰ０およびＴＰ１）からそれぞれ送信される、単一の下り制御チャネル（たとえば、ＰＤＣＣＨ）、または、単一の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが４ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【００４６】
オプション１において、上位レイヤシグナリングによって、ユーザ端末に「仮定２」が構成されてもよい。この場合、ユーザ端末は、図３Ｂに示すように、各ＤＣＩが、３ビットのＨＡＲＱプロセス番号（ＨＰＮ）フィールドを含むものと想定して動作する。
【００４７】
ユーザ端末は、複数の送信ポイント（図３Ｂにおいて、ＴＰ０およびＴＰ１）からそれぞれ送信される、複数の下り制御チャネル（たとえば、ＰＤＣＣＨ）、または、複数の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが３ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【００４８】
オプション１において、上位レイヤシグナリングによって、ユーザ端末に「仮定１」が構成されている状態から、上位レイヤシグナリングによって、ユーザ端末に「仮定２」が構成されてもよい。この場合、ユーザ端末は、１つのＤＣＩが４ビットのＨＡＲＱプロセス番号（ＨＰＮ）フィールドを含むものと想定した動作から、各ＤＣＩが３ビットのＨＡＲＱプロセス番号（ＨＰＮ）フィールドを含むものと想定した動作へと切り替えることができる。
【００４９】
オプション１において、上位レイヤシグナリングによって、ユーザ端末に「仮定２」が構成されている状態から、上位レイヤシグナリングによって、ユーザ端末に「仮定１」が構成されてもよい。この場合、ユーザ端末は、各ＤＣＩが３ビットのＨＡＲＱプロセス番号（ＨＰＮ）フィールドを含むものと想定した動作から、１つのＤＣＩが４ビットのＨＡＲＱプロセス番号（ＨＰＮ）フィールドを含むものと想定した動作へと切り替えることができる。
【００５０】
（オプション２）
オプション２では、ＨＡＲＱエンティティごとにサポートされるＨＡＲＱプロセスの数は、ＰＤＣＣＨ、ＰＤＳＣＨ、パネルまたは送受信ポイントの数とともに線形に増加する。すなわち、ＰＤＣＣＨ、ＰＤＳＣＨ、パネルまたは送受信ポイントの数などに基づいて、ＨＡＲＱエンティティごとに並行して管理されるＨＡＲＱプロセスの最大数は変化する。
【００５１】
ＨＡＲＱエンティティごとに並行して管理可能なＨＡＲＱプロセスの最大数に関するユーザ端末の能力（capability）は、ユーザ端末からネットワークにシグナリングされ、定義されてもよい。あるいは、送信ポイントごと（パネルごと、送受信ポイントごと）、セルごと、または、キャリアごとに管理可能なＨＡＲＱプロセスの最大数に関するユーザ端末の能力が、ユーザ端末からネットワークにシグナリングされてもよい。
【００５２】
図４は、第１の態様のオプション２に係るＨＡＲＱエンティティおよびＨＡＲＱプロセスの構成の一例を示す図である。
【００５３】
図４Ａに示す例は、仮定１：複数の送信ポイントからそれぞれ送信されるＰＤＳＣＨのスケジューリングを、単一の下り制御チャネル（たとえば、ＰＤＣＣＨ）、または、単一の下り制御情報（たとえば、ＤＣＩ）を用いて制御する場合を想定している。
【００５４】
図４Ａに示す例では、セルごとに１つの独立したＨＡＲＱエンティティが存在する。ＨＡＲＱエンティティは、複数のＨＡＲＱプロセスを並行して管理するよう設定される。１つのＨＡＲＱエンティティが管理する複数のＨＡＲＱプロセスは、１つのＤＣＩでサポートされる。より大きなＨＡＲＱプロセス番号をサポートするために、ＤＣＩが含むＨＡＲＱプロセス番号（ＨＰＮ）フィールドは、４ビットからさらに増加されてもよい。
【００５５】
たとえば、最大２つの送信ポイント（たとえば、最大２パネル、または、２つの送受信ポイント）からＰＤＳＣＨが送信される場合、ＤＣＩが含むＨＡＲＱプロセス番号（ＨＰＮ）フィールドを５ビットに増加すると、１つのＤＣＩで最大３２個のＨＡＲＱプロセスをサポートすることができる。１つのＤＣＩが、最大３２個のＨＡＲＱプロセスをサポートする場合、ＨＡＲＱプロセス番号は、ＨＰＮ０からＨＰＮ３１まで存在する。
【００５６】
複数の送信ポイントはそれぞれ、データ送信に用いる下りリンクリソース割り当て、および、ＨＡＲＱプロセス番号を含むＨＡＲＱの制御に用いる情報に基づいて、下りリンク制御チャネル（たとえば、ＰＤＣＣＨ）を生成して、ユーザ端末へ送信する。
【００５７】
図４Ａに示す例では、送信ポイントＴＰ０は、最大３２個のＨＡＲＱプロセスの中からＨＡＲＱプロセスを設定し、このＨＡＲＱプロセスに対応するＨＡＲＱプロセス番号の値（図４ＡにおいてＨＰＮ０）をＤＣＩフォーマットのフィールドにマッピングして、ユーザ端末へ送信する。ここで用いるＤＣＩは、５ビットのＨＡＲＱプロセス番号フィールドを含む。送信ポイントＴＰ１も同様に、最大３２個のＨＡＲＱプロセスの中からＨＡＲＱプロセスを設定し、このＨＡＲＱプロセスに対応するＨＡＲＱプロセス番号の値（図４ＡにおいてＨＰＮ１）をＤＣＩフィールドにマッピングして、ユーザ端末へ送信する。
【００５８】
図４Ａに示す例では、１つのＤＣＩが、５ビットのＨＡＲＱプロセス番号（ＨＰＮ）フィールドを含んでいるが、ＨＡＲＱプロセス番号（ＨＰＮ）フィールドのビット数はこれに限られない。
【００５９】
図４Ｂに示す例は、仮定２：複数の送信ポイントからそれぞれ送信されるノンコヒーレントなＰＤＳＣＨのスケジューリングを、複数の下り制御チャネル（たとえば、ＰＤＣＣＨ）、または、複数の下り制御情報（ＤＣＩ）を用いて制御する場合を想定している。
【００６０】
図４Ｂに示す例では、セルごとに１つの独立したＨＡＲＱエンティティが存在する。ＨＡＲＱエンティティは、複数のＨＡＲＱプロセスを並行して管理するよう設定される。複数のＨＡＲＱプロセスは、複数のＤＣＩでサポートされる。
【００６１】
たとえば、最大２つの送信ポイント（たとえば、最大２パネル、または、最大２つの送受信ポイント）からＰＤＳＣＨを送信する場合、ＰＤＳＣＨスケジューリングに２つのＤＣＩが利用される。この場合、各ＤＣＩは、４ビットのＨＡＲＱプロセス番号（ＨＰＮ）フィールドを含み、最大１６個のＨＡＲＱプロセスをサポートしてもよい。１つのＤＣＩが、最大１６個のＨＡＲＱプロセスをサポートする場合、ＨＡＲＱプロセス番号は、ＨＰＮ０からＨＰＮ１５まで存在する。
【００６２】
図４Ｂに示す例では、ＤＣＩが含むＨＡＲＱプロセス番号（ＨＰＮ）フィールドは、４ビットのまま変更されずに維持される。すなわち、ＤＣＩが含むＨＡＲＱプロセス番号（ＨＰＮ）フィールドは、図３Ａに示す例と同様である。しかし、１つのＨＡＲＱエンティティが並行して管理するＨＡＲＱプロセス数は最大３２個に増加する。
【００６３】
図４Ｂに示す例では、送信ポイントＴＰ０は、最大１６個のＨＡＲＱプロセスの中からＨＡＲＱプロセスを設定し、このＨＡＲＱプロセスに対応するＨＡＲＱプロセス番号の値（図４Ｂにおいて、ＨＰＮ０からＨＰＮ１５のいずれか）をＤＣＩフォーマットのフィールドにマッピングして、ユーザ端末へ送信する。ここで用いるＤＣＩは、４ビットのＨＡＲＱプロセス番号フィールドを含む。送信ポイントＴＰ１も同様に、最大１６個のＨＡＲＱプロセスの中からＨＡＲＱプロセスを設定し、このＨＡＲＱプロセスに対応するＨＡＲＱプロセス番号の値（図４Ｂにおいて、ＨＰＮ０からＨＰＮ１５のいずれか）をＤＣＩフォーマットのフィールドにマッピングして、ユーザ端末へ送信する。
【００６４】
図４Ｂに示す例では、１つのＤＣＩが、４ビットのＨＡＲＱプロセス番号（ＨＰＮ）フィールドを含んでいるが、ＨＡＲＱプロセス番号（ＨＰＮ）フィールドのビット数はこれに限られない。
【００６５】
図４Ｂに示す例では、各ＤＣＩが同じ数のＨＡＲＱプロセスをサポートしているが、各ＤＣＩは異なる数のＨＡＲＱプロセスをサポートする構成であってもよい。各ＤＣＩが異なる数のＨＡＲＱプロセスをサポートする場合、各ＤＣＩに含まれるＨＡＲＱプロセス番号（ＨＰＮ）フィールドのビット数は異なっていてもよい。
【００６６】
図４において、送信ポイントを意味する「ＴＰ」との用語は、パネル、送受信ポイント、ＰＤＣＣＨの制御リソースセット（ＣＯＲＥＳＥＴ）またはサーチスペース、ならびに、ＰＤＳＣＨのＤＭＲＳポートグループ、コードワードまたはトランスポートブロック（ＴＢ）と読み替えられてもよい。
【００６７】
オプション２において、上位レイヤシグナリングによって、ユーザ端末に「仮定１」が構成されてもよい。この場合、ユーザ端末は、図４Ａに示すように、１つのＤＣＩが、５ビットのＨＡＲＱプロセス番号（ＨＰＮ）フィールドを含むものと想定して動作する。
【００６８】
ユーザ端末は、複数の送信ポイント（図４Ａにおいて、ＴＰ０およびＴＰ１）からそれぞれ送信される、単一の下り制御チャネル（たとえば、ＰＤＣＣＨ）、または、単一の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが５ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【００６９】
オプション２において、上位レイヤシグナリングによって、ユーザ端末に「仮定２」が構成されてもよい。この場合、ユーザ端末は、図４Ｂに示すように、各ＤＣＩが、４ビットのＨＡＲＱプロセス番号（ＨＰＮ）フィールドを含むものと想定して動作する。
【００７０】
ユーザ端末は、複数の送信ポイント（図４Ｂにおいて、ＴＰ０およびＴＰ１）からそれぞれ送信される、複数の下り制御チャネル（たとえば、ＰＤＣＣＨ）、または、複数の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが４ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【００７１】
オプション２において、ユーザ端末に「仮定１」が構成されている状態から、上位レイヤシグナリングによって、ユーザ端末に「仮定２」が構成されてもよい。この場合、ユーザ端末は、１つのＤＣＩが４ビットのＨＡＲＱプロセス番号（ＨＰＮ）フィールドを含むものと想定した動作から、１つのＤＣＩが３ビットのＨＡＲＱプロセス番号（ＨＰＮ）フィールドを含むものと想定した動作へと切り替えることができる。
【００７２】
オプション２において、ユーザ端末に「仮定２」が構成されている状態から、上位レイヤシグナリングによって、ユーザ端末に「仮定１」が構成されてもよい。この場合、ユーザ端末は、１つのＤＣＩが３ビットのＨＡＲＱプロセス番号（ＨＰＮ）フィールドを含むものと想定した動作から、１つのＤＣＩが４ビットのＨＡＲＱプロセス番号（ＨＰＮ）フィールドを含むものと想定した動作へと切り替えることができる。
【００７３】
（第２の態様）
第２の態様では、複数の送信ポイントからＰＤＳＣＨ（たとえば、ＮＣＪＴを利用したＰＤＳＣＨ）が送信されるシナリオにおいて、複数の送信ポイントに対応してセルごとのＨＡＲＱエンティティをユーザ端末に対して別個に構成する。
【００７４】
制御プロトコルＲＲＣ（Radio  Resource  Control）は、セルごとのＨＡＲＱエンティティ数を構成する。ＲＲＣは、ＨＡＲＱエンティティと送信ポイントとの間の関連性を構成する。
【００７５】
送信ポイントごと（パネルごと、送受信ポイントごと）に設定可能なＨＡＲＱエンティティの最大数に関するユーザ端末の能力（capability）は、ユーザ端末からネットワークにシグナリングされ、定義されてもよい。あるいは、セルごと、または、キャリアごとに設定可能なＨＡＲＱエンティティの最大数に関するユーザ端末の能力が、ユーザ端末からネットワークにシグナリングされてもよい。
【００７６】
ここで、送信ポイントとの用語は、パネル、送受信ポイント、ＰＤＣＣＨの制御リソースセット（ＣＯＲＥＳＥＴ）またはサーチスペース、ならびに、ＰＤＳＣＨのＤＭＲＳポートグループ、コードワードまたはトランスポートブロック（ＴＢ）と読み替えられてもよい。
【００７７】
（オプション１）
オプション１では、各ＨＡＲＱエンティティが並行して管理するＨＡＲＱプロセスの数は固定される。たとえば、ＨＡＲＱエンティティごとに、並行して管理されるＨＡＲＱプロセスの数は従来と変わらず、最大１６個であってもよい。あるいは、セルごとのＨＡＲＱプロセスの総数は従来と変わらず、最大１６個であってもよい。後者の場合、ＨＡＲＱエンティティごとに並行して管理されるＨＡＲＱプロセスの数は、従来よりも削減される。
【００７８】
図５は、第２の態様のオプション１に係るＨＡＲＱエンティティおよびＨＡＲＱプロセスの構成の一例を示す図である。
【００７９】
図５に示す例は、仮定２：複数の送信ポイントからそれぞれ送信されるノンコヒーレントなＰＤＳＣＨのスケジューリングを、複数の下り制御チャネル（たとえば、ＰＤＣＣＨ）、または、複数の下り制御情報（ＤＣＩ）を用いて制御する場合を想定している。
【００８０】
図５Ａに示す例では、セルごとに複数の独立したＨＡＲＱエンティティ（ＨＡＲＱエンティティ０およびＨＡＲＱエンティティ１）が、ＲＲＣによって構成されている。各ＨＡＲＱエンティティは、複数（最大１６個）のＨＡＲＱプロセスを並行して管理するよう設定される。ＨＡＲＱエンティティごとの、複数（最大１６個）のＨＡＲＱプロセスは、１つのＤＣＩでサポートされる。すなわち、１つのＤＣＩは、４ビットのＨＡＲＱプロセス番号（ＨＰＮ）フィールドを含む。ＨＡＲＱプロセス番号は、ＨＰＮ０からＨＰＮ１５まで存在する。
【００８１】
たとえば、最大２つの送信ポイント（たとえば、最大２パネル、または、最大２つの送受信ポイント）からＰＤＳＣＨが送信される場合、ＲＲＣは、図５Ａに示すようにセルごとに２個の独立したＨＡＲＱエンティティを設定する。
【００８２】
図５Ａに示す例では、ＤＣＩが含むＨＡＲＱプロセス番号（ＨＰＮ）フィールドは、４ビットのまま変更されずに維持される。しかし、セルあたりのＨＡＲＱプロセスの総数は最大３２個に増加する。
【００８３】
図５Ａに示す例では、送信ポイントＴＰ０は、ＨＡＲＱエンティティ０が管理する最大１６個のＨＡＲＱプロセスの中からＨＡＲＱプロセスを設定し、このＨＡＲＱプロセスに対応するＨＡＲＱプロセス番号の値をＤＣＩフォーマットのフィールドにマッピングして、ユーザ端末へ送信する。ここで用いるＤＣＩフォーマットは、４ビットのＨＡＲＱプロセス番号（ＨＰＮ）フィールドを含む。送信ポイントＴＰ１も同様に、ＨＡＲＱエンティティ１が管理する最大１６個のＨＡＲＱプロセスの中からＨＡＲＱプロセスを設定し、このＨＡＲＱプロセスに対応するＨＡＲＱプロセス番号の値をＤＣＩフィールドにマッピングして、ユーザ端末へ送信する。
【００８４】
図５Ｂに示す例では、セルごとに複数の独立したＨＡＲＱエンティティ（ＨＡＲＱエンティティ０およびＨＡＲＱエンティティ１）が、ＲＲＣによって構成されている。セルあたりのＨＡＲＱプロセスの総数は、従来と変わらず最大１６個に設定されている。
【００８５】
たとえば、最大２つの送信ポイント（たとえば、最大２パネル、または、最大２つの送受信ポイント）からＰＤＳＣＨが送信される場合、ＲＲＣは、図５Ｂに示すようにセルごとに２個の独立したＨＡＲＱエンティティを設定する。この場合、各ＨＡＲＱエンティティは、最大８個のＨＡＲＱプロセスを管理してもよい。各ＨＡＲＱエンティティが、最大８個のＨＡＲＱプロセスを管理する場合、ＨＡＲＱプロセス番号はＨＰＮ０からＨＰＮ７まで存在する。
【００８６】
各ＨＡＲＱエンティティが管理する、最大８個のＨＡＲＱプロセスは、１つのＤＣＩでサポートされる。すなわち、１つのＤＣＩは、３ビットのＨＡＲＱプロセス番号（ＨＰＮ）フィールドを含む。
【００８７】
図５Ｂに示す例では、送信ポイントＴＰ０は、ＨＡＲＱエンティティ０が管理する最大８個のＨＡＲＱプロセスの中からＨＡＲＱプロセスを設定し、このＨＡＲＱプロセスに対応するＨＡＲＱプロセス番号の値をＤＣＩフォーマットのフィールドにマッピングして、ユーザ端末へ送信する。ここで用いるＤＣＩフォーマットは、３ビットのＨＡＲＱプロセス番号（ＨＰＮ）フィールドを含む。送信ポイントＴＰ１も同様に、ＨＡＲＱエンティティ１が管理する最大８個のＨＡＲＱプロセスの中からＨＡＲＱプロセスを設定し、このＨＡＲＱプロセスに対応するＨＡＲＱプロセス番号の値をＤＣＩフィールドにマッピングして、ユーザ端末へ送信する。
【００８８】
図５Ｂに示す例では、各ＨＡＲＱエンティティが同じ数のＨＡＲＱプロセスをサポートしているが、各ＨＡＲＱエンティティは異なる数のＨＡＲＱプロセスをサポートする構成であってもよい。各ＨＡＲＱエンティティが異なる数のＨＡＲＱプロセスをサポートする場合、対応する各ＤＣＩに含まれるＨＡＲＱプロセス番号（ＨＰＮ）フィールドのビット数は異なっていてもよい。
【００８９】
図５において、送信ポイントを意味する「ＴＰ」との用語は、パネル、送受信ポイント、ＰＤＣＣＨの制御リソースセット（ＣＯＲＥＳＥＴ）またはサーチスペース、ならびに、ＰＤＳＣＨのＤＭＲＳポートグループ、コードワードまたはトランスポートブロック（ＴＢ）と読み替えられてもよい。
【００９０】
オプション１において、上位レイヤシグナリング（たとえば、ＲＲＣシグナリング）によって、ユーザ端末に「仮定２」が構成され、さらに、セルごとのＨＡＲＱエンティティ数およびＨＡＲＱエンティティと送信ポイントとの関連性などの情報が通知されてもよい。たとえば、図５Ａに示す構成が通知された場合、ユーザ端末は、セルごとに２つの独立するＨＡＲＱエンティティが存在するものと想定して動作するとともに、１つのＤＣＩが４ビットのＨＡＲＱプロセス番号（ＨＰＮ）フィールドを含むものと想定して動作する。
【００９１】
ユーザ端末は、複数の送信ポイント（図５Ａにおいて、ＴＰ０およびＴＰ１）からそれぞれ送信される、複数の下り制御チャネル（たとえば、ＰＤＣＣＨ）、または、複数の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが４ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【００９２】
オプション１において、上位レイヤシグナリング（たとえば、ＲＲＣシグナリング）によって、ユーザ端末に「仮定２」が構成され、さらに、セルごとのＨＡＲＱエンティティ数およびＨＡＲＱエンティティと送信ポイントとの関連性などの情報が通知されてもよい。たとえば、図５Ｂに示す構成が通知された場合、ユーザ端末は、セルごとに２つの独立するＨＡＲＱエンティティが存在するものと想定して動作するとともに、１つのＤＣＩが３ビットのＨＡＲＱプロセス番号（ＨＰＮ）フィールドを含むものと想定して動作する。
【００９３】
ユーザ端末は、複数の送信ポイント（図５Ｂにおいて、ＴＰ０およびＴＰ１）からそれぞれ送信される、複数の下り制御チャネル（たとえば、ＰＤＣＣＨ）、または、複数の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが３ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【００９４】
（オプション２）
オプション２では、各ＨＡＲＱエンティティが並行して管理するＨＡＲＱプロセスの数は、可変であり、ＲＲＣによって構成される。各ＨＡＲＱエンティティは、同じ数のＨＡＲＱプロセスを管理してもよいし、異なる数のＨＡＲＱプロセスを管理してもよい。
【００９５】
図６は、第２の態様のオプション２に係るＨＡＲＱエンティティおよびＨＡＲＱプロセスの構成の一例を示す図である。
【００９６】
図６に示す例は、仮定２：複数の送信ポイントからそれぞれ送信されるノンコヒーレントなＰＤＳＣＨのスケジューリングを、複数の下り制御チャネル（たとえば、ＰＤＣＣＨ）、または、複数の下り制御情報（ＤＣＩ）を用いて制御する場合を想定している。
【００９７】
図６Ａに示す例では、セルごとに複数の独立したＨＡＲＱエンティティ（ＨＡＲＱエンティティ０およびＨＡＲＱエンティティ１）が、ＲＲＣによって構成されている。各ＨＡＲＱエンティティは、ＲＲＣによって、同じ数（図６Ａにおいて１６個）のＨＡＲＱプロセスを並行して管理するよう設定される。ＨＡＲＱエンティティごとの、複数（最大１６個）のＨＡＲＱプロセスは、１つのＤＣＩでサポートされる。すなわち、１つのＤＣＩは、４ビットのＨＡＲＱプロセス番号（ＨＰＮ）フィールドを含む。ＨＡＲＱプロセス番号は、ＨＰＮ０からＨＰＮ１５まで存在する。なお、図６Ａは、図５Ａと同じ図である。
【００９８】
たとえば、最大２つの送信ポイント（たとえば、最大２パネル、または、最大２つの送受信ポイント）からＰＤＳＣＨが送信される場合、ＲＲＣは、図６Ａに示すようにセルごとに２個の独立したＨＡＲＱエンティティを設定する。ＲＲＣは、各ＨＡＲＱエンティティが管理するＨＡＲＱプロセスの数を設定する。
【００９９】
図６Ａに示す例では、送信ポイントＴＰ０は、ＨＡＲＱエンティティ０が管理する最大１６個のＨＡＲＱプロセスの中からＨＡＲＱプロセスを設定し、このＨＡＲＱプロセスに対応するＨＡＲＱプロセス番号の値をＤＣＩフォーマットのフィールドにマッピングして、ユーザ端末へ送信する。ここで用いるＤＣＩフォーマットは、４ビットのＨＡＲＱプロセス番号（ＨＰＮ）フィールドを含む。送信ポイントＴＰ１も同様に、ＨＡＲＱエンティティ１が管理する最大１６個のＨＡＲＱプロセスの中からＨＡＲＱプロセスを設定し、このＨＡＲＱプロセスに対応するＨＡＲＱプロセス番号の値をＤＣＩフィールドにマッピングして、ユーザ端末へ送信する。
【０１００】
図６Ｂに示す例では、セルごとに複数の独立したＨＡＲＱエンティティ（ＨＡＲＱエンティティ０およびＨＡＲＱエンティティ１）が、ＲＲＣによって構成されている。各ＨＡＲＱエンティティは、ＲＲＣによって、異なる数のＨＡＲＱプロセスを並行して管理するよう設定される。図６Ｂにおいて、ＨＡＲＱエンティティ０は、１６個のＨＡＲＱプロセスを並行して管理するよう設定される。これに対応するＤＣＩは、４ビットのＨＡＲＱプロセス番号（ＨＰＮ）フィールドを含む。ＨＡＲＱエンティティ１は、８個のＨＡＲＱプロセスを並行して管理するよう設定される。これに対応するＤＣＩは、３ビットのＨＡＲＱプロセス番号（ＨＰＮ）フィールドを含む。
【０１０１】
たとえば、最大２つの送信ポイント（たとえば、最大２パネル、または、最大２つの送受信ポイント）からＰＤＳＣＨが送信される場合、ＲＲＣは、図６Ｂに示すようにセルごとに２個の独立したＨＡＲＱエンティティを設定する。ＲＲＣは、各ＨＡＲＱエンティティが管理するＨＡＲＱプロセスの数を設定する。
【０１０２】
図６Ｂに示す例では、送信ポイントＴＰ０は、ＨＡＲＱエンティティ０が管理する最大１６個のＨＡＲＱプロセスの中からＨＡＲＱプロセスを設定し、このＨＡＲＱプロセスに対応するＨＡＲＱプロセス番号の値をＤＣＩフォーマットのフィールドにマッピングして、ユーザ端末へ送信する。ここで用いるＤＣＩフォーマットは、４ビットのＨＡＲＱプロセス番号（ＨＰＮ）フィールドを含む。送信ポイントＴＰ１は、ＨＡＲＱエンティティ１が管理する最大８個のＨＡＲＱプロセスの中からＨＡＲＱプロセスを設定し、このＨＡＲＱプロセスに対応するＨＡＲＱプロセス番号の値をＤＣＩフィールドにマッピングして、ユーザ端末へ送信する。ここで用いるＤＣＩフォーマットは、３ビットのＨＡＲＱプロセス番号（ＨＰＮ）フィールドを含む。
【０１０３】
図６において、送信ポイントを意味する「ＴＰ」との用語は、パネル、送受信ポイント、ＰＤＣＣＨの制御リソースセット（ＣＯＲＥＳＥＴ）またはサーチスペース、ならびに、ＰＤＳＣＨのＤＭＲＳポートグループ、コードワードまたはトランスポートブロック（ＴＢ）と読み替えられてもよい。
【０１０４】
オプション２において、上位レイヤシグナリング（たとえば、ＲＲＣシグナリング）によって、ユーザ端末に「仮定２」が構成され、さらに、セルごとのＨＡＲＱエンティティ数およびＨＡＲＱエンティティと送信ポイントとの関連性などの情報が通知されてもよい。たとえば、図６Ａに示す構成が通知された場合、ユーザ端末は、セルごとに２つの独立するＨＡＲＱエンティティが存在するものと想定して動作するとともに、１つのＤＣＩが４ビットのＨＡＲＱプロセス番号（ＨＰＮ）フィールドを含むものと想定して動作する。
【０１０５】
ユーザ端末は、複数の送信ポイント（図６Ａにおいて、ＴＰ０およびＴＰ１）からそれぞれ送信される、複数の下り制御チャネル（たとえば、ＰＤＣＣＨ）、または、複数の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが４ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【０１０６】
オプション２において、上位レイヤシグナリング（たとえば、ＲＲＣシグナリング）によって、ユーザ端末に「仮定２」が構成され、さらに、セルごとのＨＡＲＱエンティティ数およびＨＡＲＱエンティティと送信ポイントとの関連性などの情報が通知されてもよい。たとえば、図６Ｂに示す構成が通知された場合、ユーザ端末は、セルごとに２つの独立するＨＡＲＱエンティティが存在するものと想定して動作するとともに、ＨＡＲＱエンティティ０に対応するＤＣＩが４ビットのＨＡＲＱプロセス番号（ＨＰＮ）フィールドを含み、ＨＡＲＱエンティティ１に対応するＤＣＩが３ビットのＨＡＲＱプロセス番号（ＨＰＮ）フィールドを含むものと想定して動作する。
【０１０７】
ユーザ端末は、複数の送信ポイント（図６Ｂにおいて、ＴＰ０およびＴＰ１）からそれぞれ送信される、複数の下り制御チャネル（たとえば、ＰＤＣＣＨ）、または、複数の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが４ビットまたは３ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【０１０８】
（オプション３）
オプション３では、各ＨＡＲＱエンティティに関連するＨＡＲＱプロセス番号が、ＲＲＣによって構成される。
【０１０９】
図７は、第２の態様のオプション３に係るＨＡＲＱエンティティおよびＨＡＲＱプロセスの構成の一例を示す図である。
【０１１０】
図７に示す例は、仮定１：複数の送信ポイントからそれぞれ送信されるＰＤＳＣＨのスケジューリングを、単一の下り制御チャネル（たとえば、ＰＤＣＣＨ）、または、単一の下り制御情報（たとえば、ＤＣＩ）を用いて制御する場合を想定している。
【０１１１】
図７に示す例では、セルごとに複数の独立したＨＡＲＱエンティティ（ＨＡＲＱエンティティ０およびＨＡＲＱエンティティ１）が、ＲＲＣによって構成されている。セルあたりのＨＡＲＱプロセスの総数は、従来と変わらず最大１６個に設定されている。
【０１１２】
たとえば、最大２つの送信ポイント（たとえば、最大２パネル、または、最大２つの送受信ポイント）からＰＤＳＣＨが送信される場合、ＲＲＣは、図７に示すようにセルごとに２個の独立したＨＡＲＱエンティティを設定する。この場合、各ＨＡＲＱエンティティは、最大８個のＨＡＲＱプロセスを管理してもよい。
【０１１３】
複数のＨＡＲＱエンティティが管理する、最大１６個のＨＡＲＱプロセスは、１つのＤＣＩでサポートされる。すなわち、１つのＤＣＩは、４ビットのＨＡＲＱプロセス番号（ＨＰＮ）フィールドを含む。ＲＲＣによって、ＨＡＲＱエンティティ０が管理する最大８個のＨＡＲＱプロセスのＨＡＲＱプロセス番号は、ＨＰＮ０からＨＰＮ７と構成されている。ＲＲＣによって、ＨＡＲＱエンティティ１が管理する最大８個のＨＡＲＱプロセスのＨＡＲＱプロセス番号は、ＨＰＮ８からＨＰＮ１５と構成されている。
【０１１４】
図７に示す例では、送信ポイントＴＰ０は、ＨＡＲＱエンティティ０が管理する最大８個のＨＡＲＱプロセスの中からＨＡＲＱプロセスを設定し、このＨＡＲＱプロセスに対応するＨＡＲＱプロセス番号の値（ＨＰＮ０からＨＰＮ７のいずれか）をＤＣＩフォーマットのフィールドにマッピングして、ユーザ端末へ送信する。ここで用いるＤＣＩフォーマットは、４ビットのＨＡＲＱプロセス番号（ＨＰＮ）フィールドを含む。送信ポイントＴＰ１も同様に、ＨＡＲＱエンティティ１が管理する最大８個のＨＡＲＱプロセスの中からＨＡＲＱプロセスを設定し、このＨＡＲＱプロセスに対応するＨＡＲＱプロセス番号の値（ＨＰＮ８からＨＰＮ１５のいずれか）をＤＣＩフィールドにマッピングして、ユーザ端末へ送信する。
【０１１５】
図７に示す例では、各ＨＡＲＱエンティティが同じ数のＨＡＲＱプロセスをサポートしているが、各ＨＡＲＱエンティティは異なる数のＨＡＲＱプロセスをサポートする構成であってもよい。
【０１１６】
図７において、送信ポイントを意味する「ＴＰ」との用語は、パネル、送受信ポイント、ＰＤＣＣＨの制御リソースセット（ＣＯＲＥＳＥＴ）またはサーチスペース、ならびに、ＰＤＳＣＨのＤＭＲＳポートグループ、コードワードまたはトランスポートブロック（ＴＢ）と読み替えられてもよい。
【０１１７】
オプション３において、上位レイヤシグナリング（たとえば、ＲＲＣシグナリング）によって、ユーザ端末に「仮定１」が構成され、さらに、セルごとのＨＡＲＱエンティティ数およびＨＡＲＱエンティティと送信ポイントとの関連性などの情報が通知されてもよい。たとえば、図７に示す構成が通知された場合、ユーザ端末は、セルごとに２つの独立するＨＡＲＱエンティティが存在するものと想定して動作するとともに、１つのＤＣＩが４ビットのＨＡＲＱプロセス番号（ＨＰＮ）フィールドを含むものと想定して動作する。
【０１１８】
ユーザ端末は、複数の送信ポイント（図７において、ＴＰ０およびＴＰ１）からそれぞれ送信される、単一の下り制御チャネル（たとえば、ＰＤＣＣＨ）、または、単一の下り制御情報（たとえば、ＤＣＩ）をモニタする。ユーザ端末は、複数の送信ポイントから送信されるＤＣＩを有するＰＤＣＣＨを検出すると、そのＤＣＩによって示される、対応するＰＤＳＣＨを復号する。ユーザ端末は、ＤＣＩが４ビットのＨＡＲＱプロセス番号（ＨＰＮ）フィールドを含むものと想定して、ＤＣＩフォーマットによって指示されたＨＡＲＱプロセスを特定し、下りリンクのトランスポートブロック（ＴＢ）に対するＨＡＲＱプロセスを行う。
【０１１９】
各ＨＡＲＱエンティティが管理するＨＡＲＱプロセスの数が固定されている構成（オプション１）と、各ＨＡＲＱエンティティが管理するＨＡＲＱプロセスの数が可変である構成（オプション２）とは、上位レイヤシグナリングによって、切り替えられてもよい。各ＨＡＲＱエンティティに関連するＨＡＲＱプロセス番号がＲＲＣによって構成される構成（オプション３）は、上位レイヤシグナリングによって、オプション１またはオプション２に切り替えられてもよいし、組み合わせて運用されてもよい。
【０１２０】
以上のように、複数の送信ポイントからＰＤＳＣＨ（たとえば、ＮＣＪＴを利用したＰＤＳＣＨ）がユーザ端末に送信されるシナリオで、ユーザ端末に「仮定１」または「仮定２」が構成される場合に、第１の態様または第２の態様で説明したようにＨＡＲＱエンティティおよびＨＡＲＱプロセスを構成および設計することにより、ユーザ端末のＨＡＲＱプロセスを適切に構成して実行することが可能となる。
【０１２１】
（無線通信システム）
以下、本実施の形態に係る無線通信システムの構成について説明する。この無線通信システムでは、上記実施の形態に係る無線通信方法が適用される。
【０１２２】
図８は、本実施の形態に係る無線通信システムの概略構成の一例を示す図である。無線通信システム１では、ＬＴＥシステムのシステム帯域幅（たとえば、２０ＭＨｚ）を１単位とする複数の基本周波数ブロック（コンポーネントキャリア）を一体としたキャリアアグリゲーション（ＣＡ）またはデュアルコネクティビティ（ＤＣ）を適用することができる。無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  Rat）などと呼ばれてもよい。
【０１２３】
図８に示す無線通信システム１は、マクロセルＣ１を形成する無線基地局１１と、マクロセルＣ１内に配置され、マクロセルＣ１よりも狭いスモールセルＣ２を形成する無線基地局１２ａから１２ｃと、を備えている。マクロセルＣ１および各スモールセルＣ２には、ユーザ端末２０が配置されている。セル間で異なるニューメロロジーが適用される構成としてもよい。ニューメロロジーとは、あるＲＡＴにおける信号のデザインや、ＲＡＴのデザインを特徴付ける通信パラメータのセットのことをいう。
【０１２４】
ユーザ端末２０は、無線基地局１１および無線基地局１２の双方に接続することができる。ユーザ端末２０は、異なる周波数を用いるマクロセルＣ１とスモールセルＣ２を、ＣＡまたはＤＣにより同時に使用することが想定される。ユーザ端末２０は、複数のセル（ＣＣ）（たとえば、２個以上のＣＣ）を用いてＣＡまたはＤＣを適用することができる。ユーザ端末は、複数のセルとしてライセンスドバンドＣＣとアンライセンスドバンドＣＣを利用することができる。複数のセルのいずれかに短縮ＴＴＩを適用するＴＤＤキャリアが含まれる構成とすることができる。
【０１２５】
ユーザ端末２０と無線基地局１１との間は、相対的に低い周波数帯域（たとえば、２ＧＨｚ）で帯域幅が狭いキャリア（既存キャリア、Legacy  carrierなどと呼ばれる）を用いて通信を行うことができる。ユーザ端末２０と無線基地局１２との間は、相対的に高い周波数帯域（たとえば、３．５ＧＨｚ、５ＧＨｚ、３０から７０ＧＨｚなど）で帯域幅が広いキャリアが用いられてもよいし、無線基地局１１との間と同じキャリアが用いられてもよい。各無線基地局が利用する周波数帯域の構成はこれに限られない。
【０１２６】
無線基地局１１と無線基地局１２との間（または、２つの無線基地局１２の間）は、有線接続（たとえば、ＣＰＲＩ（Common  Public  Radio  Interface）に準拠した光ファイバ、Ｘ２インターフェースなど）または無線接続する構成とすることができる。
【０１２７】
無線基地局１１および各無線基地局１２は、それぞれ上位局装置３０に接続され、上位局装置３０を介してコアネットワーク４０に接続される。上位局装置３０には、たとえば、アクセスゲートウェイ装置、無線ネットワークコントローラ（ＲＮＣ）、モビリティマネジメントエンティティ（ＭＭＥ）などが含まれるが、これに限定されるものではない。各無線基地局１２は、無線基地局１１を介して上位局装置３０に接続されてもよい。
【０１２８】
無線基地局１１は、相対的に広いカバレッジを有する無線基地局であり、マクロ基地局、集約ノード、ｅＮＢ（eNodeB）、送受信ポイント、などと呼ばれてもよい。無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１および１２を区別しない場合は、無線基地局１０と総称する。
【０１２９】
各ユーザ端末２０は、ＬＴＥ、ＬＴＥ−Ａ等の各種通信方式に対応した端末であり、移動通信端末だけでなく固定通信端末を含んでもよい。
【０１３０】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つまたは連続したリソースブロックからなる帯域に分割し、複数の端末が互いに異なる帯域を用いることで、端末間の干渉を低減するシングルキャリア伝送方式である。上りおよび下りの無線アクセス方式は、これらの組み合わせに限られず、ＵＬでＯＦＤＭＡが用いられてもよい。
【０１３１】
無線通信システム１では、ＤＬチャネルとして、各ユーザ端末２０で共有される下りデータチャネル（ＰＤＳＣＨ：Physical  Downlink  Shared  Channel、下り共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。ＰＢＣＨにより、ＭＩＢ（Master  Information  Block）が伝送される。
【０１３２】
Ｌ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨおよびＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【０１３３】
無線通信システム１では、ＵＬチャネルとして、各ユーザ端末２０で共有される上りデータチャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくとも１つを含む上り制御情報（ＵＣＩ：Uplink  Control  Information）は、ＰＵＳＣＨまたはＰＵＣＣＨにより、伝送される。ＰＲＡＣＨにより、セルとの接続確立のためのランダムアクセスプリアンブルが伝送される。
【０１３４】
＜無線基地局＞
図９は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。送受信アンテナ１０１、アンプ部１０２、送受信部１０３は、それぞれ１つ以上を含むように構成されればよい。無線基地局１０は、下りデータの送信装置であり、上りデータの受信装置であってもよい。
【０１３５】
無線基地局１０からユーザ端末２０に送信される下りデータは、上位局装置３０から伝送路インターフェース１０６を介してベースバンド信号処理部１０４に入力される。
【０１３６】
ベースバンド信号処理部１０４では、下りデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（たとえば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。下り制御信号に関しても、チャネル符号化や逆高速フーリエ変換などの送信処理が行われて、送受信部１０３に転送される。
【０１３７】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路または送受信装置から構成することができる。送受信部１０３は、一体の送受信部として構成されてもよいし、送信部および受信部から構成されてもよい。
【０１３８】
上り信号については、送受信アンテナ１０１で受信された無線周波数信号がアンプ部１０２で増幅される。送受信部１０３は、アンプ部１０２で増幅された上り信号を受信する。送受信部１０３は、受信信号をベースバンド信号に周波数変換して、ベースバンド信号処理部１０４に出力する。
【０１３９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤおよびＰＤＣＰレイヤの受信処理がなされ、伝送路インターフェース１０６を介して上位局装置３０に転送される。呼処理部１０５は、通信チャネルの設定や解放などの呼処理、無線基地局１０の状態管理、および、無線リソースの管理を行う。
【０１４０】
伝送路インターフェース１０６は、所定のインターフェースを介して、上位局装置３０と信号を送受信する。伝送路インターフェース１０６は、基地局間インターフェース（たとえば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４１】
送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（たとえば、位相シフタ、位相シフト回路）またはアナログビームフォーミング装置（たとえば、位相シフト器）から構成することができる。送受信アンテナ１０１は、たとえばアレーアンテナにより構成することができる。送受信部１０３は、シングルＢＦ、マルチＢＦを適用できるように構成されている。
【０１４２】
送受信部１０３は、送信ビームを用いて信号を送信してもよいし、受信ビームを用いて信号を受信してもよい。送受信部１０３は、制御部３０１によって決定された所定のビームを用いて信号を送信および受信してもよい。
【０１４３】
送受信部１０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、ブロードキャスト信号など）を送信する。送受信部１０３は、上り信号（たとえば、上り制御信号（上り制御チャネル）、上りデータ信号（上りデータチャネル、上り共有チャネル）、上り参照信号など）を受信する。
【０１４４】
送受信部１０３は、複数の送信ポイントから送信される下り共有チャネルのスケジューリングに利用する１または複数の下り制御情報を送信する。当該下り制御情報に含まれるＨＡＲＱプロセス番号（ＨＰＮ）フィールドには、セルごとに１または複数の独立したＨＡＲＱエンティティが管理するＨＡＲＱプロセス番号がマッピングされている。
【０１４５】
本発明の送信部および受信部は、送受信部１０３と伝送路インターフェース１０６の両方、またはいずれか一方により構成される。
【０１４６】
図１０は、本実施の形態に係る無線基地局の機能構成の一例を示す図である。なお、図１０では、本実施形態における特徴部分の機能ブロックを主に示しており、無線基地局１０は、無線通信に必要な他の機能ブロックも有しているものとする。図１０に示すように、ベースバンド信号処理部１０４は、制御部３０１と、送信信号生成部３０２と、マッピング部３０３と、受信信号処理部３０４と、測定部３０５と、を少なくとも備えている。
【０１４７】
制御部３０１は、無線基地局１０全体の制御を実施する。制御部３０１は、本発明に係る技術分野での共通認識に基づいて説明されるコントローラ、制御回路または制御装置から構成することができる。
【０１４８】
制御部３０１は、たとえば、送信信号生成部３０２による信号の生成や、マッピング部３０３による信号の割り当てを制御する。制御部３０１は、受信信号処理部３０４による信号の受信処理や、測定部３０５による信号の測定を制御する。
【０１４９】
制御部３０１は、下り信号および上り信号のスケジューリング（たとえば、リソース割り当て）を制御する。具体的には、制御部３０１は、下りデータチャネルのスケジューリング情報を含むＤＣＩ（ＤＬアサインメント、ＤＬグラント）、上りデータチャネルのスケジューリング情報を含むＤＣＩ（ＵＬグラント）を生成および送信するように、送信信号生成部３０２、マッピング部３０３および送受信部１０３を制御する。
【０１５０】
制御部３０１は、マルチスロットアグリゲーションおよびプリエンプションにおける、制御情報およびデータの送信または受信を制御してもよい。
【０１５１】
送信信号生成部３０２は、制御部３０１からの指示に基づいて、下り信号（下り制御チャネル、下りデータチャネル、ＤＭ−ＲＳ等の下り参照信号など）を生成して、マッピング部３０３に出力する。送信信号生成部３０２は、本発明に係る技術分野での共通認識に基づいて説明される信号生成器、信号生成回路または信号生成装置から構成することができる。
【０１５２】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路またはマッピング装置から構成することができる。
【０１５３】
受信信号処理部３０４は、送受信部１０３から入力された受信信号に対して、受信処理（たとえば、デマッピング、復調、復号など）を行う。たとえば、受信信号は、ユーザ端末２０から送信される上り信号（上り制御チャネル、上りデータチャネル、上り参照信号など）である。受信信号処理部３０４は、本発明に係る技術分野での共通認識に基づいて説明される信号処理器、信号処理回路または信号処理装置から構成することができる。
【０１５４】
受信信号処理部３０４は、受信処理により復号された情報を制御部３０１に出力する。たとえば、受信処理部３０４は、プリアンブル、制御情報、ＵＬデータの少なくとも１つを制御部３０１に出力する。また、受信信号処理部３０４は、受信信号および受信処理後の信号を、測定部３０５に出力する。
【０１５５】
測定部３０５は、受信した信号に関する測定を実施する。測定部３０５は、本発明に係る技術分野での共通認識に基づいて説明される測定器、測定回路または測定装置から構成することができる。
【０１５６】
測定部３０５は、たとえば、受信した信号の受信電力（たとえば、ＲＳＲＰ（Reference  Signal  Received  Power））、受信品質（たとえば、ＲＳＲＱ（Reference  Signal  Received  Quality））やチャネル状態等について測定してもよい。測定結果は、制御部３０１に出力されてもよい。
【０１５７】
＜ユーザ端末＞
図１１は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。送受信アンテナ２０１、アンプ部２０２、送受信部２０３は、それぞれ１つ以上を含むように構成されればよい。ユーザ端末２０は、下りデータの受信装置であり、上りデータの送信装置であってもよい。
【０１５８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路または送受信装置から構成することができる。送受信部２０３は、一体の送受信部として構成されてもよいし、送信部および受信部から構成されてもよい。
【０１５９】
ベースバンド信号処理部２０４は、入力されたベースバンド信号に対して、ＦＦＴ処理や、誤り訂正復号、再送制御の受信処理などを行う。下りデータは、アプリケーション部２０５に転送される。アプリケーション部２０５は、物理レイヤやＭＡＣレイヤより上位のレイヤに関する処理などを行う。下りデータのうち、システム情報や上位レイヤ制御情報もアプリケーション部２０５に転送される。
【０１６０】
上りリンクのユーザデータは、アプリケーション部２０５からベースバンド信号処理部２０４に入力される。ベースバンド信号処理部２０４では、再送制御の送信処理（たとえば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１６１】
送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（たとえば、位相シフタ、位相シフト回路）またはアナログビームフォーミング装置（たとえば、位相シフト器）から構成することができる。送受信アンテナ２０１は、たとえばアレーアンテナにより構成することができる。送受信部２０３は、シングルＢＦ、マルチＢＦを適用できるように構成されている。
【０１６２】
送受信部２０３は、送信ビームを用いて信号を送信してもよいし、受信ビームを用いて信号を受信してもよい。送受信部２０３は、制御部４０１によって決定された所定のビームを用いて信号を送信および受信してもよい。
【０１６３】
送受信部２０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、報知信号など）を受信する。送受信部２０３は、上り信号（たとえば、上り制御信号（上り制御チャネル）、上りデータ信号（上りデータチャネル、上り共有チャネル）、上り参照信号など）を送信する。
【０１６４】
送受信部２０３は、複数の送信ポイントから送信される下り共有チャネルのスケジューリングに利用する１または複数の下り制御情報を受信する。当該下り制御情報に含まれるＨＡＲＱプロセス番号（ＨＰＮ）フィールドには、セルごとに１または複数の独立したＨＡＲＱエンティティが管理するＨＡＲＱプロセス番号がマッピングされている。送受信部２０３は、当該ＨＡＲＱプロセス番号に対応するＨＡＲＱ−ＡＣＫ情報を送信する。
【０１６５】
図１２は、本実施の形態に係るユーザ端末の機能構成の一例を示す図である。図１２においては、本実施の形態における特徴部分の機能ブロックを主に示しており、ユーザ端末２０は、無線通信に必要な他の機能ブロックも有しているものとする。図１２に示すように、ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１６６】
制御部４０１は、ユーザ端末２０全体の制御を実施する。制御部４０１は、本発明に係る技術分野での共通認識に基づいて説明されるコントローラ、制御回路または制御装置から構成することができる。
【０１６７】
制御部４０１は、たとえば、送信信号生成部４０２による信号の生成や、マッピング部４０３による信号の割り当てを制御する。制御部４０１は、受信信号処理部４０４による信号の受信処理や、測定部４０５による信号の測定を制御する。
【０１６８】
制御部４０１は、下り制御情報に含まれるＨＡＲＱプロセス番号（ＨＰＮ）フィールドが示す、ＨＡＲＱプロセス番号を検出し、このＨＡＲＱプロセス番号に対応するＨＡＲＱ−ＡＣＫ情報を送信するよう制御してもよい。
【０１６９】
送信信号生成部４０２は、制御部４０１からの指示に基づいて、上り信号（上り制御チャネル、上りデータチャネル、上り参照信号など）を生成して、マッピング部４０３に出力する。送信信号生成部４０２は、本発明に係る技術分野での共通認識に基づいて説明される信号生成器、信号生成回路または信号生成装置から構成することができる。
【０１７０】
送信信号生成部４０２は、制御部４０１からの指示に基づいて上りデータチャネルを生成する。たとえば、送信信号生成部４０２は、無線基地局１０から通知される下り制御チャネルにＵＬグラントが含まれている場合に、制御部４０１から上りデータチャネルの生成を指示される。
【０１７１】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路またはマッピング装置から構成することができる。
【０１７２】
受信信号処理部４０４は、送受信部２０３から入力された受信信号に対して、受信処理（たとえば、デマッピング、復調、復号など）を行う。たとえば、受信信号は、無線基地局１０から送信される下り信号（下り制御チャネル、下りデータチャネル、下り参照信号など）である。受信信号処理部４０４は、本発明に係る技術分野での共通認識に基づいて説明される信号処理器、信号処理回路または信号処理装置から構成することができる。受信信号処理部４０４は、本発明に係る受信部を構成することができる。
【０１７３】
受信信号処理部４０４は、制御部４０１の指示に基づいて、下りデータチャネルの送信および受信をスケジューリングする下り制御チャネルをブラインド復号し、当該ＤＣＩに基づいて下りデータチャネルの受信処理を行う。受信信号処理部４０４は、ＤＭ−ＲＳまたはＣＲＳに基づいてチャネル利得を推定し、推定されたチャネル利得に基づいて、下りデータチャネルを復調する。
【０１７４】
受信信号処理部４０４は、受信処理により復号された情報を制御部４０１に出力する。受信信号処理部４０４は、たとえば、報知情報、システム情報、ＲＲＣシグナリング、ＤＣＩなどを、制御部４０１に出力する。受信信号処理部４０４は、データの復号結果を制御部４０１に出力してもよい。受信信号処理部４０４は、受信信号や、受信処理後の信号を、測定部４０５に出力する。
【０１７５】
測定部４０５は、受信した信号に関する測定を実施する。測定部４０５は、本発明に係る技術分野での共通認識に基づいて説明される測定器、測定回路または測定装置から構成することができる。
【０１７６】
測定部４０５は、たとえば、受信した信号の受信電力（たとえば、ＲＳＲＰ）、ＤＬ受信品質（たとえば、ＲＳＲＱ）やチャネル状態などについて測定してもよい。測定結果は、制御部４０１に出力されてもよい。
【０１７７】
（ハードウェア構成）
上記実施形態の説明に用いたブロック図は、機能単位のブロックを示している。これらの機能ブロック（構成部）は、ハードウェアおよびソフトウェアの少なくとも一方の任意の組み合わせによって実現される。各機能ブロックの実現方法は特に限定されない。すなわち、各機能ブロックは、物理的または論理的に結合した１つの装置を用いて実現されてもよいし、物理的または論理的に分離した２つ以上の装置を直接的または間接的に（たとえば、有線、無線などを用いて）接続し、これら複数の装置を用いて実現されてもよい。機能ブロックは、上記１つの装置または上記複数の装置にソフトウェアを組み合わせて実現されてもよい。
【０１７８】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）、送信機（transmitter）などと呼称されてもよい。いずれも、上述したとおり、実現方法は特に限定されない。
【０１７９】
たとえば、本開示の一実施形態における基地局、ユーザ端末などは、本開示の無線通信方法の処理を行うコンピュータとして機能してもよい。図１３は、一実施形態に係る基地局およびユーザ端末のハードウェア構成の一例を示す図である。上述の基地局１０およびユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８０】
以下の説明では、「装置」という文言は、回路、デバイス、ユニットなどに読み替えることができる。基地局１０およびユーザ端末２０のハードウェア構成は、図に示した各装置を１つまたは複数含むように構成されてもよいし、一部の装置を含まずに構成されてもよい。
【０１８１】
たとえば、プロセッサ１００１は１つだけ図示されているが、複数のプロセッサがあってもよい。処理は、１のプロセッサによって実行されてもよいし、処理が同時に、逐次に、またはその他の手法を用いて、２以上のプロセッサによって実行されてもよい。プロセッサ１００１は、１以上のチップによって実装されてもよい。
【０１８２】
基地局１０およびユーザ端末２０における各機能は、たとえば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２およびストレージ１００３におけるデータの読み出しおよび書き込みの少なくとも一方を制御したりすることによって実現される。
【０１８３】
プロセッサ１００１は、たとえば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。たとえば、上述のベースバンド信号処理部１０４（２０４）、呼処理部１０５などは、プロセッサ１００１によって実現されてもよい。
【０１８４】
プロセッサ１００１は、プログラム（プログラムコード）、ソフトウェアモジュール、データなどを、ストレージ１００３および通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。たとえば、ユーザ端末２０の制御部４０１は、メモリ１００２に格納され、プロセッサ１００１において動作する制御プログラムによって実現されてもよく、他の機能ブロックについても同様に実現されてもよい。
【０１８５】
メモリ１００２は、コンピュータ読み取り可能な記録媒体であり、たとえば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８６】
ストレージ１００３は、コンピュータ読み取り可能な記録媒体であり、たとえば、フレキシブルディスク、フロッピー（登録商標）ディスク、光磁気ディスク（たとえば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（たとえば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８７】
通信装置１００４は、有線ネットワークおよび無線ネットワークの少なくとも一方を介してコンピュータ間の通信を行うためのハードウェア（送受信デバイス）であり、たとえばネットワークデバイス、ネットワークコントローラ、ネットワークカード、通信モジュールなどともいう。通信装置１００４は、たとえば周波数分割複信（ＦＤＤ：Frequency  Division  Duplex）および時分割複信（ＴＤＤ：Time  Division  Duplex）の少なくとも一方を実現するために、高周波スイッチ、デュプレクサ、フィルタ、周波数シンセサイザなどを含んで構成されてもよい。たとえば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的にまたは論理的に分離された実装がなされてもよい。
【０１８８】
入力装置１００５は、外部からの入力を受け付ける入力デバイス（たとえば、キーボード、マウス、マイクロフォン、スイッチ、ボタン、センサなど）である。出力装置１００６は、外部への出力を実施する出力デバイス（たとえば、ディスプレイ、スピーカー、ＬＥＤ（Light  Emitting  Diode）ランプなど）である。入力装置１００５および出力装置１００６は、一体となった構成（たとえば、タッチパネル）であってもよい。
【０１８９】
プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９０】
基地局１０およびユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部または全てが実現されてもよい。たとえば、プロセッサ１００１は、これらのハードウェアの少なくとも１つを用いて実装されてもよい。
【０１９１】
（変形例）
本開示において説明した用語および本開示の理解に必要な用語については、同一のまたは類似する意味を有する用語と置き換えてもよい。たとえば、チャネルおよびシンボルの少なくとも一方は信号（シグナリング）であってもよい。信号はメッセージであってもよい。参照信号は、ＲＳ（Reference  Signal）と略称することもでき、適用される標準によってパイロット（Pilot）、パイロット信号などと呼ばれてもよい。コンポーネントキャリア（ＣＣ：Component  Carrier）は、セル、周波数キャリア、キャリア周波数などと呼ばれてもよい。
【０１９２】
無線フレームは、時間領域において１つまたは複数の期間（フレーム）によって構成されてもよい。無線フレームを構成する当該１つまたは複数の各期間（フレーム）は、サブフレームと呼ばれてもよい。さらに、サブフレームは、時間領域において１つまたは複数のスロットによって構成されてもよい。サブフレームは、ニューメロロジー（numerology）に依存しない固定の時間長（たとえば、１ｍｓ）であってもよい。
【０１９３】
ここで、ニューメロロジーとは、ある信号またはチャネルの送信および受信の少なくとも一方に適用される通信パラメータであってもよい。たとえば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１９４】
スロットは、時間領域において１つまたは複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。スロットは、ニューメロロジーに基づく時間単位であってもよい。
【０１９５】
スロットは、複数のミニスロットを含んでもよい。各ミニスロットは、時間領域において１つまたは複数のシンボルによって構成されてもよい。ミニスロットは、サブスロットと呼ばれてもよい。ミニスロットは、スロットよりも少ない数のシンボルによって構成されてもよい。ミニスロットより大きい時間単位で送信されるＰＤＳＣＨ（またはＰＵＳＣＨ）は、ＰＤＳＣＨ（ＰＵＳＣＨ）マッピングタイプＡと呼ばれてもよい。ミニスロットを用いて送信されるＰＤＳＣＨ（またはＰＵＳＣＨ）は、ＰＤＳＣＨ（ＰＵＳＣＨ）マッピングタイプＢと呼ばれてもよい。
【０１９６】
無線フレーム、サブフレーム、スロット、ミニスロットおよびシンボルは、いずれも信号を伝送する際の時間単位を表す。無線フレーム、サブフレーム、スロット、ミニスロットおよびシンボルは、それぞれに対応する別の呼称が用いられてもよい。
【０１９７】
たとえば、１サブフレームは送信時間間隔（ＴＴＩ：Transmission  Time  Interval）と呼ばれてもよいし、複数の連続したサブフレームがＴＴＩと呼ばれてよいし、１スロットまたは１ミニスロットがＴＴＩと呼ばれてもよい。つまり、サブフレームおよびＴＴＩの少なくとも一方は、既存のＬＴＥにおけるサブフレーム（１ｍｓ）であってもよいし、１ｍｓより短い期間（たとえば、１−１３シンボル）であってもよいし、１ｍｓより長い期間であってもよい。ＴＴＩを表す単位は、サブフレームではなくスロット、ミニスロットなどと呼ばれてもよい。
【０１９８】
ここで、ＴＴＩは、たとえば、無線通信におけるスケジューリングの最小時間単位のことをいう。たとえば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。ＴＴＩの定義はこれに限られない。
【０１９９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。ＴＴＩが与えられたとき、実際にトランスポートブロック、コードブロック、コードワードなどがマッピングされる時間区間（たとえば、シンボル数）は、当該ＴＴＩよりも短くてもよい。
【０２００】
１スロットまたは１ミニスロットがＴＴＩと呼ばれる場合、１以上のＴＴＩ（すなわち、１以上のスロットまたは１以上のミニスロット）が、スケジューリングの最小時間単位となってもよい。当該スケジューリングの最小時間単位を構成するスロット数（ミニスロット数）は制御されてもよい。
【０２０１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partialまたはfractional  TTI）、短縮サブフレーム、ショートサブフレーム、ミニスロット、サブスロット、スロットなどと呼ばれてもよい。
【０２０２】
ロングＴＴＩ（たとえば、通常ＴＴＩ、サブフレームなど）は、１ｍｓを超える時間長を有するＴＴＩで読み替えてもよいし、ショートＴＴＩ（たとえば、短縮ＴＴＩなど）は、ロングＴＴＩのＴＴＩ長未満かつ１ｍｓ以上のＴＴＩ長を有するＴＴＩで読み替えてもよい。
【０２０３】
リソースブロック（ＲＢ：Resource  Block）は、時間領域および周波数領域のリソース割当単位であり、周波数領域において、１つまたは複数個の連続した副搬送波（サブキャリア（subcarrier））を含んでもよい。
【０２０４】
ＲＢは、時間領域において、１つまたは複数個のシンボルを含んでもよく、１スロット、１ミニスロット、１サブフレームまたは１ＴＴＩの長さであってもよい。１ＴＴＩ、１サブフレームは、それぞれ１つまたは複数のリソースブロックによって構成されてもよい。
【０２０５】
１つまたは複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０６】
リソースブロックは、１つまたは複数のリソースエレメント（ＲＥ：Resource  Element）によって構成されてもよい。たとえば、１ＲＥは、１サブキャリアおよび１シンボルの無線リソース領域であってもよい。
【０２０７】
上述した無線フレーム、サブフレーム、スロット、ミニスロットおよびシンボルなどの構造は例示に過ぎない。たとえば、無線フレームに含まれるサブフレームの数、サブフレームまたは無線フレームあたりのスロットの数、スロット内に含まれるミニスロットの数、スロットまたはミニスロットに含まれるシンボルおよびＲＢの数、ＲＢに含まれるサブキャリアの数、ならびにＴＴＩ内のシンボル数、シンボル長、サイクリックプレフィックス（ＣＰ：Cyclic  Prefix）長などの構成は、様々に変更することができる。
【０２０８】
本開示において説明した情報、パラメータなどは、絶対値を用いて表されてもよいし、所定の値からの相対値を用いて表されてもよいし、対応する別の情報を用いて表されてもよい。たとえば、無線リソースは、所定のインデックスによって指示されてもよい。
【０２０９】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）および情報要素は、あらゆる好適な名称によって識別できるので、これらの様々なチャネルおよび情報要素に割り当てている様々な名称は、いかなる点においても限定的な名称ではない。
【０２１０】
本開示において説明した情報、信号などは、様々な異なる技術のいずれかを使用して表されてもよい。たとえば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【０２１１】
情報、信号などは、上位レイヤから下位レイヤおよび下位レイヤから上位レイヤの少なくとも一方へ出力され得る。情報、信号などは、複数のネットワークノードを介して入出力されてもよい。
【０２１２】
入出力された情報、信号などは、特定の場所（たとえば、メモリ）に保存されてもよいし、管理テーブルを用いて管理してもよい。入出力される情報、信号などは、上書き、更新または追記をされ得る。出力された情報、信号などは、削除されてもよい。入力された情報、信号などは、他の装置へ送信されてもよい。
【０２１３】
情報の通知は、本開示において説明した態様／実施形態に限られず、他の方法を用いて行われてもよい。たとえば、情報の通知は、物理レイヤシグナリング（たとえば、下り制御情報（ＤＣＩ：Downlink  Control  Information）、上り制御情報（ＵＣＩ：Uplink  Control  Information））、上位レイヤシグナリング（たとえば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号またはこれらの組み合わせによって実施されてもよい。
【０２１４】
物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。ＲＲＣシグナリングは、ＲＲＣメッセージと呼ばれてもよく、たとえば、ＲＲＣ接続セットアップ（RRCConnectionSetup）メッセージ、ＲＲＣ接続再構成（RRCConnectionReconfiguration）メッセージなどであってもよい。ＭＡＣシグナリングは、たとえば、ＭＡＣ制御要素（ＭＡＣ  ＣＥ（Control  Element））を用いて通知されてもよい。
【０２１５】
所定の情報の通知（たとえば、「Ｘであること」の通知）は、明示的な通知に限られず、暗示的に（たとえば、当該所定の情報の通知を行わないことによってまたは別の情報の通知によって）行われてもよい。
【０２１６】
判定は、１ビットで表される値（０か１か）によって行われてもよいし、真（true）または偽（false）で表される真偽値（boolean）によって行われてもよいし、数値の比較（たとえば、所定の値との比較）によって行われてもよい。
【０２１７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１８】
ソフトウェア、命令、情報などは、伝送媒体を介して送受信されてもよい。たとえば、ソフトウェアが、有線技術（同軸ケーブル、光ファイバケーブル、ツイストペア、デジタル加入者回線（ＤＳＬ：Digital  Subscriber  Line）など）および無線技術（赤外線、マイクロ波など）の少なくとも一方を使用してウェブサイト、サーバ、または他のリモートソースから送信される場合、これらの有線技術および無線技術の少なくとも一方は、伝送媒体の定義内に含まれる。
【０２１９】
本開示において使用する「システム」および「ネットワーク」という用語は、互換的に使用され得る。
【０２２０】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２２１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０２２２】
基地局は、１つまたは複数（たとえば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（たとえば、屋内用の小型基地局（ＲＲＨ：Remote  Radio  Head））によって通信サービスを提供することもできる。「セル」または「セクタ」という用語は、このカバレッジにおいて通信サービスを行う基地局および基地局サブシステムの少なくとも一方のカバレッジエリアの一部または全体を指す。
【０２２３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２２４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントまたはいくつかの他の適切な用語で呼ばれる場合もある。
【０２２５】
基地局および移動局の少なくとも一方は、送信装置、受信装置、通信装置などと呼ばれてもよい。基地局および移動局の少なくとも一方は、移動体に搭載されたデバイス、移動体自体などであってもよい。当該移動体は、乗り物（たとえば、車、飛行機など）であってもよいし、無人で動く移動体（たとえば、ドローン、自動運転車など）であってもよいし、ロボット（有人型または無人型）であってもよい。基地局および移動局の少なくとも一方は、必ずしも通信動作時に移動しない装置も含む。たとえば、基地局および移動局の少なくとも一方は、センサなどのＩｏＴ（Internet  of  Things）機器であってもよい。
【０２２６】
本開示における基地局は、ユーザ端末で読み替えてもよい。たとえば、基地局およびユーザ端末間の通信を、複数のユーザ端末間の通信（たとえば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。「上り」、「下り」などの文言は、端末間通信に対応する文言（たとえば、「サイド（side）」）で読み替えられてもよい。たとえば、上りチャネル、下りチャネルなどは、サイドチャネルで読み替えられてもよい。
【０２２７】
同様に、本開示におけるユーザ端末は、基地局で読み替えてもよい。この場合、上述のユーザ端末２０が有する機能を基地局１０が有する構成としてもよい。
【０２２８】
本開示において、基地局によって行われるとした動作は、場合によってはその上位ノード（upper  node）によって行われることもある。基地局を有する１つまたは複数のネットワークノード（network  nodes）を含むネットワークにおいて、端末との通信のために行われる様々な動作は、基地局、基地局以外の１つ以上のネットワークノード（たとえば、ＭＭＥ（Mobility  Management  Entity）、Ｓ−ＧＷ（Serving-Gateway）などが考えられるが、これらに限られない）またはこれらの組み合わせによって行われ得ることは明らかである。
【０２２９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。たとえば、本開示において説明した方法については、例示的な順序を用いて様々なステップの要素を提示しており、提示した特定の順序に限定されない。
【０２３０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（たとえば、ＬＴＥまたはＬＴＥ−Ａと、５Ｇとの組み合わせなど）適用されてもよい。
【０２３１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３２】
本開示において使用する「第１の」、「第２の」などの呼称を使用した要素へのいかなる参照も、それらの要素の量または順序を全般的に限定しない。これらの呼称は、２つ以上の要素間を区別する便利な方法として本開示において使用され得る。したがって、第１および第２の要素の参照は、２つの要素のみが採用され得ることまたは何らかの形で第１の要素が第２の要素に先行しなければならないことを意味しない。
【０２３３】
本開示において使用する「判断（決定）（determining）」という用語は、多種多様な動作を包含する場合がある。たとえば、「判断（決定）」は、判定（judging）、計算（calculating）、算出（computing）、処理（processing）、導出（deriving）、調査（investigating）、探索（looking  up、search、inquiry）（たとえば、テーブル、データベースまたは別のデータ構造での探索）、確認（ascertaining）などを「判断（決定）」することであるとみなされてもよい。
【０２３４】
「判断（決定）」は、受信（receiving）（たとえば、情報を受信すること）、送信（transmitting）（たとえば、情報を送信すること）、入力（input）、出力（output）、アクセス（accessing）（たとえば、メモリ中のデータにアクセスすること）などを「判断（決定）」することであるとみなされてもよい。
【０２３５】
「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３６】
「判断（決定）」は、「想定する（assuming）」、「期待する（expecting）」、「みなす（considering）」などで読み替えられてもよい。
【０２３７】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２３８】
本開示において使用する「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的であっても、論理的であっても、あるいはこれらの組み合わせであってもよい。たとえば、「接続」は「アクセス」で読み替えられてもよい。
【０２３９】
本開示において、２つの要素が接続される場合、１つ以上の電線、ケーブル、プリント電気接続などを用いて、ならびにいくつかの非限定的かつ非包括的な例として、無線周波数領域、マイクロ波領域、光（可視および不可視の両方）領域の波長を有する電磁エネルギーなどを用いて、互いに「接続」または「結合」されると考えることができる。
【０２４０】
本開示において、「ＡとＢが異なる」という用語は、「ＡとＢが互いに異なる」ことを意味してもよい。「離れる」、「結合される」などの用語も同様に解釈されてもよい。
【０２４１】
本開示において、「含む（include）」、「含んでいる（including）」およびこれらの変形が使用されている場合、これらの用語は、用語「備える（comprising）」と同様に、包括的であることが意図される。さらに、本開示において使用されている用語「または（or）」は、排他的論理和ではないことが意図される。
【０２４２】
本開示において、たとえば、英語でのa,  anおよびtheのように、翻訳によって冠詞が追加された場合、本開示は、これらの冠詞の後に続く名詞が複数形であることを含んでもよい。
【０２４３】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨および範囲を逸脱することなく修正および変更態様として実施することができる。したがって、本開示の記載は、例示説明を目的とし、本開示に係る発明に対して何ら制限的な意味をもたらさない。
【図１】
2020003442.tif 000003
【図２】
2020003442.tif 000004
【図３】
2020003442.tif 000005
【図４】
2020003442.tif 000006
【図５】
2020003442.tif 000007
【図６】
2020003442.tif 000008
【図７】
2020003442.tif 000009
【図８】
2020003442.tif 000010
【図９】
2020003442.tif 000011
【図１０】
2020003442.tif 000012
【図１１】
2020003442.tif 000013
【図１２】
2020003442.tif 000014
【図１３】
2020003442.tif 000015
【国際調査報告】
2020003442.tif 000016
2020003442.tif 000017